(57)【特許請求の範囲】
【請求項１】
本発明の請求項１に記載の物干し竿の支持具は、上方を向けて立設する支持具本体と、支持具本体の前方に張り出した支持腕と、支持具本体から張り出し可能な補助脚と、支持具本体の上部に支持された支柱と、支柱の上部であって竿を受けるための凹部を設けた竿受け部とを有し、支持腕の下部には係止爪を１段又は複数段に形成した係止部が設けられ、少なくとも支持腕と補助脚は支持具本体を自立可能に支持し得る支持幅を有する構成であって、支持腕の係止部を椅子の背部の上端に掛けた状態にして支持具本体の下端で椅子の背部の傾斜面に支持させるか、又は台の上面に支持具本体の下端を設置して補助脚で支持具本体を自立させた状態にして、竿受け部に物干し竿を掛止可能にしたことを特徴とする物干し竿の支持具。
【請求項２】
支柱は支持具本体に対して上下動可能であって所定の高さで支持具本体に固定し得る構成により、竿受け部の高さを調節可能にしたことを特徴とする請求項１記載の物干し竿の支持具。
【請求項３】
竿受け部は支持具本体に対して左右水平方向に回動自在に設けた構成により、物干し竿の支持方向を調節可能にしたことを特徴とする請求項１又は２記載の物干し竿の支持具。
【請求項４】
支持腕は該支持腕を取り付けた支持具本体に対して前後方向に伸縮可能であって所定の伸縮位置で固定し得る構成としたことを特徴とする請求項１、２又は３記載の物干し竿の支持具。
【請求項５】
補助脚と支持腕のいずれか一方又は双方が支持具本体に対して折り畳み可能に設けられていることを特徴とする請求項１、２、３又は４記載の物干し竿の支持具。
【発明の詳細な説明】
【技術分野】
【０００１】
本発明は、椅子の背部又は台の上面等を利用して物干し竿を掛けるようにした物干し竿の支持具に関する。
【背景技術】
【０００２】
屋外で、物干し竿を用いて洗濯物等を乾かしている際、急に雨が降った場合、洗濯物を吊るした物干し竿をそのまま取り込んで屋内に干しておくことができれば便利である。また、このように物干し竿を屋内に設置して洗濯物等を乾かすことができれば、雨天が続く場合等にも好都合となる。
【０００３】
ここで、洗濯物を屋内で干せるようにした従来の補助具や用具等を参照すると、特許文献１のつり下げ具は、鴨居に引っ掛けたり、机の天板に取り付けて、つり下げ具に設けた支持片にフックを固定し、このフックに物干し竿を掛けるようにしたものである。
【０００４】
ところが、特許文献１のつり下げ具を鴨居に掛ける場合、物干し竿を高い位置に掛ける必要があり、洗濯物を吊り下げた重量のある干し用竿をそのように高い位置に掛けるには相応の労力を要する作業となる。
【０００５】
また、特許文献１のつり下げ具を机の天板に取り付ける場合、ハンドルを回転することによって螺軸を天板に締め付ける作業を要するため、急に雨が降った場合等には、つり下げ具を使用可能な状態にするのに手間を要するという欠点がある。
【０００６】
さらに、特許文献１のつり下げ具に設けられた支持片及びフックは、つり下げ具の側部から横方向に張り出した構造を有するため、構造的には大きな荷重に対する耐荷重性に欠けるものであり、フックに掛けた物干し竿の洗濯物が重い場合、支持片及びフックが変形したり、破損するおそれがある。
【先行技術文献】
【特許文献】
【０００７】
【特許文献１】実公平７−２２１４６公報
【発明の概要】
【発明が解決しようとする課題】
【０００８】
本発明は、上記の事情に鑑みてなされたものであり、急に雨が降った時等のように緊急の事態が生じた場合でも、洗濯物を吊るした物干し竿をそのままの状態で屋内に取り込んで、椅子の背部又は台の上面等を利用して容易に掛けることができ、しかも重量のある洗濯物を吊り下げた物干し竿を十分の耐荷重性を有して掛けておくことができる物干し竿の支持具を提供することを目的とする。
【課題を解決するための手段】
【０００９】
上記の目的を達成するために、本発明の請求項１に記載の物干し竿の支持具は、上方を向けて立設する支持具本体と、支持具本体の前方に張り出した支持腕と、支持具本体から張り出し可能な補助脚と、支持具本体の上部に支持された支柱と、支柱の上部であって竿を受けるための凹部を設けた竿受け部とを有し、支持腕の下部には係止爪を１段又は複数段に形成した係止部が設けられ、少なくとも支持腕と補助脚は支持具本体を自立可能に支持し得る支持幅を有する構成であって、支持腕の係止部を椅子の背部の上端に掛けた状態にして支持具本体の下端で椅子の背部の傾斜面に支持させるか、又は台の上面に支持具本体の下端を設置して補助脚で支持具本体を自立させた状態にして、竿受け部に物干し竿を掛止可能にしたことを特徴とする。
【００１０】
また、本発明の請求項２に記載の物干し竿の支持具は、請求項１において、支柱は支持具本体に対して上下動可能であって所定の高さで支持具本体に固定し得る構成により、竿受け部の高さを調節可能にしたことを特徴とする。
【００１１】
また、本発明の請求項３に記載の物干し竿の支持具は、請求項１又は２において、竿受け部は支持具本体に対して左右水平方向に回動自在に設けた構成により、物干し竿の支持方向を調節可能にしたことを特徴とする。
【００１２】
また、本発明の請求項４に記載の物干し竿の支持具は、請求項１、２又は３において、支持腕は該支持腕を取り付けた支持具本体に対して前後方向に伸縮可能であって所定の伸縮位置で固定し得る構成としたことを特徴とする。
【００１３】
さらに、本発明の請求項５に記載の物干し竿の支持具は、請求項１、２、３又は４において、補助脚と支持腕のいずれか一方又は双方が支持具本体に対して折り畳み可能に設けられていることを特徴とする。
【発明の効果】
【００１４】
上記の本発明によれば、本発明の物干し竿の支持具に設けられた支持腕の係止部を椅子の背部の上端に掛けた状態にして支持具本体の下端で椅子の背部の傾斜面に支持させるか、又は台の上面に支持具本体の下端を設置して補助脚で支持具本体を自立させた状態にすることにより、竿受け部に物干し竿を掛止することが可能となる。
【００１５】
従って、本発明の物干し竿の支持具は、その物干し竿の支持具を椅子の背部に掛ける場合であっても、台の上面に設置する場合であっても、容易に設置可能であり、急に雨が降った場合等のように、緊急に洗濯物を取り込む際でも、物干し竿に洗濯物を掛けたままの状態で室内に運んで設置することが可能である。
【００１６】
また、本発明の物干し竿の支持具は少ない部品点数で構成することが可能である。しかも、その構成は、上方を向けて立設した支持具本体の上部の支柱のさらにその上部に、物干し竿を掛ける竿受け部が設けられているため、物干し竿に掛けられた荷重は支柱及び支持具本体に対して垂直状に作用する。このため、物干し竿に掛けた洗濯物等の重量が大きい場合でも、本発明の物干し竿の支持具は、十分の耐荷重性を有する物干し竿の支持具として使用することが可能となる。
【図面の簡単な説明】
【００１７】
【図１】(ａ)は本発明における実施例の物干し竿の支持具の基本的構成を示す斜視図であり、(ｂ)は竿受け部に掛けた物干し竿の左右水平方向の自由度を示す竿受け部の平面図である。
【図２】(ａ)は本発明における実施例の物干し竿を台の上面に設置した状態を示す側面図であり、(ｂ)はその物干し竿を椅子の背部に掛けた状態の側面図である。
【図３】(ａ)は本発明における実施例の物干し竿に設けた支柱を上下動可能にして、竿受け部の高さを調節可能にした構成を示す斜視図であり、(ｂ)は支柱と支持具本体の上部の内部構造を示す断面図である。
【図４】(ａ)及び(ｂ)は、本発明における実施例の物干し竿の支持具を高さの異なる台の上面に設置して、両方の竿受け部を略同様の高さに調節した状態を示す側面図である。
【図５】本発明における実施例の竿受け部を左右水平方向に回動することによって、竿受け部に掛けた物干し竿の支持方向を調節可能した状態を示す平面図である。
【図６】本発明における実施例の物干し竿の支持具に設けた支持腕を前後方向に伸縮自在にした構成を示す斜視図である。
【図７】(ａ)及び(ｂ)は、図６に示す物干し竿の支持具を傾斜角度の異なる椅子の背部に掛けた状態を示す側面図である。
【図８】(ａ)〜(ｆ)は、本発明における実施例の物干し竿の支持具に設けた支持腕を前後方向に伸縮自在にすると共に折り畳み可能に構成した斜視図又は側面図である。
【図９】(ａ)〜(ｄ)は、本発明における実施例の物干し竿の支持具に設けた補助脚を折り畳み可能に構成した斜視図又は断面図である。
【図１０】(ａ)、(ｂ)は、本発明における実施例の物干し竿の支持具に設けた支持腕の下部の係止部、支持具本体の下部、及び補助脚の下部に滑止め部材を付設した構成を示す斜視図又は側面図である。
【図１１】(ａ)、(ｂ)は、本発明における実施例の物干し竿の支持具の使用状態を示す斜視図である。
【発明を実施するための形態】
【００１８】
以下、本発明の実施例について図面を参照しながら説明する。
【実施例】
【００１９】
本実施例の物干し竿の支持具１は、その基本構成として、図１（ａ）に示すように、上方を向けて立設する支持具本体２と、支持具本体２の前方に張り出した左右の支持腕３、３と、支持具本体２から張り出し可能な補助脚４と、支持具本体２の上部に支持された支柱５と、支柱５の上部であって物干し竿を受けるための凹部７ａを設けた竿受け部７とを有し、支持腕３の下部には係止爪を１段又は複数段（本実施例は２段の係止爪８ａ、８ｂ）に形成した係止部８が設けられ、少なくとも左右の支持腕３、３と補助脚４は支持具本体２を自立可能に支持し得る支持幅Ｗを有するものである。
【００２０】
上記の構成において、支持具本体２は、図１(ａ)に示すように、その上部に支持腕３の本体部３ａを固定してあり、この支持腕３の本体部３ａから前方に２個の支持腕３、３を張り出し、各支持腕３の下部には係止爪８ａ、８ｂを２段に形成した係止部８が設けられている。
【００２１】
このような構成において、支持腕３の本体部３ａから張り出した支持腕３は、上記のように２個に限定されるものではなく、図２（ｂ）に示すように、係止部８の係止爪８ａ、８ｂを椅子９の背部９ａの上端に掛けた状態にして支持具本体２の下端で椅子９の背部９ａの傾斜面９ｂに支持させたとき、支持具本体２を自立可能に支持し得る支持幅Ｗを有する１個の支持腕３とするか、又は複数（本実施例では２個）の支持腕３とすることが可能である。
【００２２】
また、本実施例において、支持腕３の下部に設けられた係止部８に１段又は複数段の具体例として２段の係止爪８ａ、８ｂを設けてあるのは、図２(ｂ)に示すように、椅子９の背部９ａの傾斜角度αに応じて、いずれの係止爪８ａ、８ｂを椅子９の背部９ａの上端に係止するかによって支持具本体２を垂直状態に立設可能としたものである。
【００２３】
さらに、物干し竿の支持具１に設けられた支柱５の上部には、図１(ａ)に示すように、物干し竿６を受けるためのＵ形状、四角形型、或いはＶ字形型の凹部７ａを設けた竿受け部７が設けられている。このような構成において、竿受け部７の凹部７ａは、図１(ｂ)に示すように、その平面形状において、一端の幅が広く、他端がテーパ形状に狭い幅となるように形成され、幅の狭い側で物干し竿６を挟み込んだ状態にする一方、幅の広い側で物干し竿６の水平方向の設置角度の変化に応じて回転状に移動し得る構成としている。
【００２４】
また、上記の構成において、図１（ａ）に示すように、支持具本体２の後部から斜め下方に張り出した補助脚４が設けられている。この補助脚４によって、図２（ａ）に示すように、支持具本体２の下端を台１０の上面に設置した際、この支持具本体２を自立可能に補助することが可能となる。このため、上記の支持腕３と同様に、補助脚４は、その下端が、支持具本体２を自立可能に支持し得る幅広の支持幅Ｗを有する構成とされている。
【００２５】
本実施例の物干し竿の支持具１は、上記の図１（ａ）に示す構成を基本構成として、様々な使用状況に対応し得るように、各部が以下に示す態様を有するものである。
【００２６】
即ち、図３（ａ）に示す物干し竿の支持具１は、支持具本体２の上部に設けられた支柱５が、図３（ｂ）に示すように支持腕３の本体部３ａの上面に突出形成された支柱保持部３ｂの内部の貫通孔３ｃに上下動可能に挿入され、支柱保持部３ｂの外周に形成されたネジ溝３ｄに螺合する諦緩部材１１を緩める操作によって支柱５は自由に上下動する。また、諦緩部材１１を締め付ける操作によって所定位置で固定状態にすることができ、これによって支柱５の上端に設けた竿受け部７の高さを調節することが可能となる。
【００２７】
上記の構成により、図４（ａ）（ｂ）に示すように、高さの異なる夫々の台１０の上面に物干し竿の支持具１を設置した場合、上記の竿受け部７の高さ調節によって物干し竿６を略水平に設置することが可能となる。
【００２８】
また、上記の諦緩部材１１を緩める操作によって、図５に示すように、竿受け部７は支持具本体２に対して左右水平方向に回動自在となり、物干し竿６を左右水平方向に自由な角度で設置することが可能となる。このような構成により、物干し竿６を設置する場所に自由度を持たせることができ、取り扱いが容易となる。
【００２９】
さらに、図６に示す物干し竿の支持具１のように、両側の支持腕３、３を前後方向に調節する構成を設けることも可能である。その構造は、支持具本体２を設けた支持腕３の本体部３ａの両側に前後方向に係止溝１２が形成され、支持具本体２とは別体に形成された支持腕３を両側の係止溝１２に装着すると共に、各支持腕３の内部に前後方向に形成された長尺溝１３に締付けネジ１４を取り付けた構成としたことにより、支持腕３は支持具本体２に対して前後方向に伸縮可能であって所定の伸縮位置で固定し得る構成となる。
【００３０】
このような構成により、締付けネジ１４に設けた摘み部１４aを回動して締付けネジ１４を緩めることによって、支持腕３を前後に移動することができる。また、所望の位置で締付けネジ１４を締め付けることによって、支持腕３の伸縮長さを調節することが可能となる。これによって、図７に示すように、例えば、椅子９の背部９ａの傾斜角度α１、α２の相違によって、支持腕３の伸縮長さを調節することにより、支持具本体２及び支柱５を略垂直に固定し、物干し竿６を略水平に設置することが可能となる。
【００３１】
また、本実施例においては、図８（ａ）〜（ｆ）に示すように、支持腕３を支持具本体２に対して前後方向に伸縮自在にすると共に、支持腕３を折り畳み可能とし、さらに補助脚４を支持具本体２に対して折り畳み可能にすることも可能である。その構成は、図８（ａ）〜（ｆ）に示すように、係止溝１２の前側の下部を締付けネジ１４の下方を開放した開放部１２ａとし、締付けネジ１４を緩めることで支持腕３を締付けネジ１４を中心に下方の開放部１２ａ側へ回動することにより、支持腕３を支持具本体２に沿って折り畳み可能としたものである。
【００３２】
さらに、本実施例においては、図９(ａ)〜(ｄ)に示すように、支持具本体２の上部に設けられた支持腕３の本体部３ａの後面の中央に沿って上下方向に収納溝１５を形成し、収納溝１５に装着した補助脚４の上部を収納溝１５に対してピン１５aで止めることによって回動可能としている。そして、補助脚４の上端の内側を縁取して傾斜縁４aとすることにより、補助脚４を支持具本体２から斜め下方に張り出した回動位置で止めることが可能となる。
【００３３】
上記の構成により、支持腕３と補助脚４を折り畳んだ状態にすると、物干し竿の支持具１の全体幅が細身の状態となって、保管や運搬の際にスペースを取らずに利便に取り扱うことが可能となる。
【００３４】
なお、本実施例の物干し竿の支持具１においては、図１０に示すように、支持腕３の下部に設けられた係止部８の各係止爪８ａ、８ｂに沿って滑止め部材１６aを付設するほか、支持具本体２の下部に滑止め部材１６ｂを設け、さらに補助脚４の下部に滑止め部材１６ｃを付設した構成とすることも可能である。このような構成により、物干し竿の支持具１を椅子９の背部９ａに取り付けたり、台１０の上面に設置した際の設置位置のずれ防止や安定性の向上に有益となる。
【００３５】
本実施例の物干し竿の支持具１は、上記のように構成されているため、図１１(ａ)に示すように、支持腕３の係止部８を椅子９の背部９ａの上端に掛けるだけで、支持具本体２の下端で椅子９の背部９ａの傾斜面９ｂに支持された状態となる。また、図１１(ｂ)に示すように、台１０の上面に支持具本体２の下端を設置するだけで、補助脚４で支持具本体２を自立させた状態となる。
【００３６】
従って、両方の物干し竿の支持具１、１に設けられた竿受け部７に物干し竿６を掛けるだけで、物干し竿６と物干し竿６に吊るした洗濯物等の重量が両方の物干し竿の支持具１、１に荷重として作用することにより、これらの物干し竿の支持具１、１の安定性が増し、物干し竿６を安定した状態で掛止しておくことが可能となる。
【００３７】
また、本実施例の物干し竿の支持具１は、上方を向けて立設した支持具本体２の上部の支柱５のさらにその上部に、物干し竿６を掛ける竿受け部７が設けられているため、物干し竿６に掛けられた荷重は支柱５及び支持具本体２に対して垂直状に作用する。このため、物干し竿６に掛けた洗濯物等の重量が大きい場合でも、十分の耐荷重性を有する物干し竿の支持具１として使用することが可能となる。
【００３８】
なお、上記の図１１(ａ)では、両側に椅子９と台１０を使用し、図１１(ｂ)では、両側に椅子９、９を使用してあるが、図４に示すように、両側に台１０を使用して、物干し竿の支持具１、１を設置することも可能である。
【産業上の利用可能性】
【００３９】
本発明の物干し竿の支持具は、急に雨が降った時等のように緊急の事態が生じた場合でも、洗濯物を吊るした物干し竿をそのままの状態で屋内に取り込んで、椅子の背部又は台の上面等を利用して容易に掛けることができ、しかも重量のある洗濯物を吊るした物干し竿を十分の耐荷重性を有して掛けておくことができる物干し竿の支持具として利用可能である。
【符号の説明】
【００４０】
１  物干し竿の支持具
２  支持具本体
３  支持腕
３a  支持腕の本体部
３ｂ  支柱保持部
３ｃ  貫通孔
３ｄ  ネジ溝
４  補助脚
４ａ  傾斜縁
５  支柱
６  物干し竿     
７  竿受け部
７a  凹部
８  係止部
８a、８ｂ  係止爪
９  椅子
９a  椅子の背部
９ｂ  椅子の傾斜面
１０  台
１１  諦緩部材
１２  係止溝
１２ａ  開放部
１３  長尺溝
１４  締付けネジ
１４a  摘み部
１５  収納溝
１５a  ピン
１６a  滑止め部材
１６ｂ  滑止め部材
１６ｃ  滑止め部材
ｗ  支持幅
α、α１、α２  椅子の背部の傾斜角度
【図１】
0006426546.tif 000002
【図２】
0006426546.tif 000003
【図３】
0006426546.tif 000004
【図４】
0006426546.tif 000005
【図５】
0006426546.tif 000006
【図６】
0006426546.tif 000007
【図７】
0006426546.tif 000008
【図８】
0006426546.tif 000009
【図９】
0006426546.tif 000010
【図１０】
0006426546.tif 000011
【図１１】
0006426546.tif 000012